(57)【要約】【課題】衣類の傷みを防止し、効率よく乾燥を行い、消費電力量の削減や圧縮機の信頼性を確保する。【解決手段】衣類を収容する収容槽５と、収容槽５内に循環空気を循環させる循環ダクト２２と、循環空気を加熱、冷却するための圧縮機４１、凝縮器３２、蒸発器３０を備えた熱源装置と、熱源装置からの循環空気を循環ダクト２２を介して収容槽５内へ循環させる循環送風機１２と、衣類の量を検知する布量検知手段とを備え、衣類の量が所定値以下の場合には、衣類の量が所定値を超える場合に比べて、圧縮機４１を第１の所定回転数で運転する時間を短くするようにしたことにより、衣類の傷みを防止し、効率よく乾燥が行え、消費電力量の削減や圧縮機の信頼性を確保できるようになる。【選択図】図２
2014018502.tif 000002
【特許請求の範囲】
【請求項１】
衣類を収容する収容槽と、前記収容槽内に循環空気を循環させる循環ダクトと、循環空気を加熱、冷却するための圧縮機、凝縮器、蒸発器を備えた熱源装置と、前記熱源装置からの循環空気を前記循環ダクトを介して前記収容槽内へ循環させる循環送風機と、衣類の量を検知する布量検知手段とを備え、衣類の量が所定値以下の場合には、衣類の量が所定値を超える場合に比べて、前記圧縮機を第１の所定回転数で運転する時間を短くするようにしたことを特徴とする衣類処理装置。
【請求項２】
前記衣類の量が所定値以下の場合には、前記圧縮機を前記第１の所定回転数で運転する時間よりも、前記第１の所定回転数よりも低い第２の所定回転数で運転する時間を長くするようにした請求項１に記載の衣類処理装置。
【請求項３】
前記熱源装置を冷却する冷却用ファンを備え、前記凝縮器における凝縮温度が所定値以上の時には、前記冷却用ファンを駆動するようにした請求項１または２に記載の衣類処理装置。
【請求項４】
前記圧縮機の回転数を、衣類の種類に応じて変更するようにした請求項１〜３のいずれか１項に記載の衣類処理装置。
【請求項５】
前記冷却用ファンを、衣類の種類に応じて駆動するようにした請求項３または４に記載の衣類処理装置。
【発明の詳細な説明】
【技術分野】
【０００１】
本発明は、衣類、寝具等の乾燥を行う衣類乾燥機や、乾燥機能を有する洗濯乾燥機等の衣類処理装置に関するものである。
【背景技術】
【０００２】
従来のこの種の衣類処理装置において、乾燥手段にヒートポンプ装置を具備したものが知られている（特許文献１参照）。
【０００３】
従来例の構成およびその動作を図５および図６に基づいて説明する。
【０００４】
図５は、従来の衣類処理装置の構成を示す模式図、図６は、同、衣類処理装置に用いられる従来のヒートポンプ装置の構成を示す概略図である。
【０００５】
筐体１の内部には、複数のサスペンション２によって弾性的に支持された円筒状の外槽３を設けている。外槽３の内部には、衣類４を収容する円筒状の収容槽５を回転可能に設け、駆動モータ６により回転駆動される。
【０００６】
筐体１の前面には衣類４を出し入れする開口部１ａと、これを開閉する扉７が設けられている。外槽３および収容槽５の前面側にも同様の外槽開口部３ａ、収容槽開口部５ｂを有し、この外槽３の外槽開口部３ａはベローズ８によって筐体１の開口部１ａと連結されている。循環送風機１２は、筐体１の上方に設けられている。
【０００７】
循環送風機１２は、収容槽５を通過してきた空気を循環ダクト入口１６から吸込み、循環ダクト２２内を送風させ、矢印ｄのようにヒーターケース入口２３へと導出する。また、ヒーターケース出口２１から出た循環空気を矢印ｃの方向に送風して循環ダクト出口１４から収容槽５内に供給する。
【０００８】
収容槽５の背面下部には、熱源装置としてヒートポンプ装置を構成する熱交換器からなる蒸発器３０及び凝縮器３２が配設されており、筐体１内の空きスペースを有効利用して収容されている。ヒーターケース３１は、循環送風機１２により送風される循環空気を矢印ａの方向に蒸発器３０から凝縮器３２へと流すためのものであり、筐体１の左右方向に圧縮機４１を蒸発器３０及び凝縮器３２と並べてヒーターケース３１の内部に収容している。
【０００９】
循環送風機１２で送風される循環空気は、循環ダクト２２を通り、ヒーターケース３１内の蒸発器３０及び凝縮器３２を通過した後、循環ダクト出口１４から収容槽５内に入り、収容槽５内の衣類４を通過した後、循環ダクト入口１６を通って再び循環送風機１２へと戻り、循環するようになっている。
【００１０】
収容槽５から蒸発器３０に至るまでの空気循環路を流れる空気の一部を、空気循環路外へ排気する排気口２６が設けられ、より具体的には循環ダクト２２の途中に排気口２６を設けている。
【００１１】
また、収容槽５から凝縮器３２に至るまでの空気循環路に外気を吸気する吸気口２５が設けられている。吸気口２５は収容槽５と凝縮器３２の間に位置し、より具体的には、収容槽５から蒸発器３０に至るまでの循環ダクト２２の途中に設けられ、収容槽５と排気口２６の間に位置している。
【００１２】
循環送風機１２は吸気口２５と排気口２６の間に位置するように構成している。また、循環ダクト２２の途中には、空気中の異物を除去するフィルター手段として合繊ネット等からなるフィルター３５が着脱可能に設けられている。フィルター３５は収容槽５と蒸発器３０間に位置して設けられている。そして、このフィルター３５は収容槽５と排気口２６の間に位置し、また、吸気口２５と排気口２６の間に位置し、吸気口２５と循環送風機１２の間でもある位置に存在する。
【００１３】
また、ヒーターケース３１の下部には、蒸発器３０からの除湿水を貯めるドレン水容器３６が設けられている。
【００１４】
また、ヒートポンプ装置は、圧縮機４１、および圧縮された冷媒の熱を放熱する凝縮器３２、および高圧の冷媒の圧力を減圧するための絞り弁や毛細管等からなる膨張機構４２、および減圧されて低圧となった冷媒が周囲から熱を奪う蒸発器３０とを冷媒が循環するように連結されており、冷媒は図２の矢印ｅの方向に流れて循環し、ヒートポンプサイクルを実現する。これらのヒートポンプ装置や駆動モータ６等は、制御装置４８によって制御される。
【００１５】
以上のような構成において、次に、この動作について説明する。
【００１６】
乾燥工程では、ヒートポンプ装置の圧縮機４１を作動させると、冷媒が圧縮され、この圧力により凝縮器３２、膨張機構４２、蒸発器３０を循環する。凝縮器３２では冷媒の圧縮で熱が放出され、蒸発器３０では膨張機構４２で減圧されて低圧となった冷媒により熱が吸収される。
【００１７】
このとき循環送風機１２が作動し、凝縮器３２の放熱により加熱された循環空気が循環ダクト２２を通って循環ダクト出口１４から収容槽５内に送風される。収容槽５は駆動モータ６により回転駆動され衣類４は上下に撹拌される。
【００１８】
収容槽５内に送風された循環空気は、この衣類４の隙間を通るときに水分を奪い、湿った状態で循環ダクト入口１６を経て循環ダクト２２を通り、ヒーターケース３１に至る。
【００１９】
この湿った循環空気は、蒸発器３０を通過する際に顕熱と潜熱が奪われて除湿され、乾いた循環空気と除湿水に分離される。この乾いた循環空気は、凝縮器３２で再び加熱され循環空気となる。蒸発器３０で結露した除湿水は、ドレン水容器３６に貯まる。上記動作を繰り返すことにより、衣類４の乾燥を進行させる。
【００２０】
循環送風機１２の運転に伴い、循環送風機１２の吸込み口側に存在する吸気口２５は大気に対して負圧になり、吹出し口側に存在する排気口２６は大気に対して正圧となる。このため、確実に外気は吸気口２５から空気循環路内に吸気され、排気口２６からは空気循環路内の循環空気の一部が機体外へと排出される。
【００２１】
これにより、排気口２６から排気とともに放熱が行われ、ヒートポンプサイクル内の冷媒の持つ熱量の蓄積を防止することができるので、圧縮機４１に過負荷をかけることなくヒートポンプ装置を安全な状態に安定させることができる。
【先行技術文献】
【特許文献】
【００２２】
【特許文献１】特開２００５−３１８９１７号公報
【発明の概要】
【発明が解決しようとする課題】
【００２３】
しかしながら、上記従来の構成のように、ヒートポンプと負荷衣類の熱収支バランスをとるために循環空気の一部を空気循環路外へ排出すると、乾燥機外へ高温多湿の空気を排出することになり、衣類処理装置を設置した周囲の環境を不快な状態にするばかりでなく、結露により周囲の環境に悪影響を生じることがある。
【課題を解決するための手段】
【００２４】
上記従来の課題を解決するために、本発明の衣類処理装置は、衣類を収容する収容槽と、前記収容槽内に循環空気を循環させる循環ダクトと、循環空気を加熱、冷却するための圧縮機、凝縮器、蒸発器を備えた熱源装置と、前記熱源装置からの循環空気を前記循環ダクトを介して前記収容槽内へ循環させる循環送風機と、衣類の量を検知する布量検知手段とを備え、衣類の量が所定値以下の場合には、衣類の量が所定値を超える場合に比べて、前記圧縮機を第１の所定回転数で運転する時間を短くするようにしたものである。
【００２５】
これにより、温風を衣類乾燥に必要となる一定温度以上にするための熱量が少なくて済む小容量乾燥の場合は、凝縮器による加熱量が過多とならないように圧縮機の回転数を低く抑え、温風を一定温度以上にするための熱量が多く必要な大容量乾燥の場合は、凝縮器による加熱量が過少とならないように圧縮機の回転数を比較的長時間高く保つので、小容量乾燥時の圧縮機の信頼性を確保することができ、衣類の傷みを防止し、効率よく乾燥が行え、消費電力量の削減や圧縮機の信頼性を確保できる。
【発明の効果】
【００２６】
本発明の衣類処理装置は、小容量乾燥の場合は、凝縮器による加熱量が過多とならないように圧縮機の回転数を低く抑え、大容量乾燥の場合は、凝縮器による加熱量が過少とならないように圧縮機の回転数を比較的長時間高く保つので、小容量乾燥時の圧縮機の信頼性を確保することができ、衣類の傷みを防止し、効率よく乾燥が行え、消費電力量を削減することができる。
【図面の簡単な説明】
【００２７】
【図１】本実施の形態における衣類処理装置の構成を示す模式図
【図２】同、ヒートポンプ装置の構成を示す概略図
【図３】衣類が少容量である場合の圧縮機回転数と各部の温度変化を示すグラフ
【図４】衣類が大容量である場合の圧縮機回転数と各部の温度変化を示すグラフ
【図５】従来の衣類処理装置の構成を示す模式図
【図６】同、ヒートポンプ装置の構成を示す概略図
【発明を実施するための形態】
【００２８】
第１の発明は、衣類を収容する収容槽と、前記収容槽内に循環空気を循環させる循環ダクトと、循環空気を加熱、冷却するための圧縮機、凝縮器、蒸発器を備えた熱源装置と、前記熱源装置からの循環空気を前記循環ダクトを介して前記収容槽内へ循環させる循環送風機と、衣類の量を検知する布量検知手段とを備え、衣類の量が所定値以下の場合には、衣類の量が所定値を超える場合に比べて、前記圧縮機を第１の所定回転数で運転する時間を短くするようにしたことにより、小容量乾燥の場合は、凝縮器による加熱量が過多とならないように圧縮機の回転数を低く抑え、大容量乾燥の場合は、凝縮器による加熱量が過少とならないように圧縮機の回転数を比較的長時間高く保つので、循環空気を空気循環路外へ排出することなく、ヒートポンプ装置の吐出温度や凝縮温度の上昇を抑制し、圧縮機の信頼性を確保することができる。
【００２９】
第２の発明は、特に、第１の発明において、前記衣類の量が所定値以下の場合には、前
記圧縮機を前記第１の所定回転数で運転する時間よりも、前記第１の所定回転数よりも低い第２の所定回転数で運転する時間を長くするようにしたことにより、小容量乾燥の場合は、衣類乾燥に使用する循環空気の温度を乾燥初期に早く昇温させ、乾燥時間の短縮を図ることができ、乾燥初期以降は圧縮機の回転数を低く抑えることで消費電力量の削減や圧縮機の信頼性を確保できる。
【００３０】
第３の発明は、特に、第１または第２の発明において、前記熱源装置を冷却する冷却用ファンを備え、前記凝縮器における凝縮温度が所定値以上の時には、前記冷却用ファンを駆動するようにしたことにより、凝縮温度が一定値以上となった場合に前記冷却用ファンを起動させ、凝縮温度が一定値以下となった場合に前記冷却用ファンを停止させることにより、衣類乾燥に使用する循環空気の温度を、圧縮機の回転数を変更することなく、所定の範囲内に収めることができ、消費電力量の削減が可能となる。
【００３１】
第４の発明は、特に、第１〜３のいずれか１つの発明において、前記圧縮機の回転数を、衣類の種類に応じて変更するようにしたことにより、熱に弱いシルク・ランジェリー・ウール系の衣類などの乾燥時に、圧縮機を低速で運転することで、循環空気の温度の上昇を抑え、衣類の傷みを防止することができる。
【００３２】
第５の発明は、特に、第３または第４の発明において、前記冷却用ファンを、衣類の種類に応じて駆動するようにしたことにより、熱に弱いシルク・ランジェリー・ウール系の衣類などの乾燥時においても、衣類乾燥に使用する循環空気の温度を、圧縮機の回転数を変更することなく、所定の範囲内に収めることができ、消費電力量の削減が可能となる。
【００３３】
以下、本発明の実施の形態について、図面を参考にしながら説明する。なお、この実施の形態によってこの発明が限定されるものではない。
【００３４】
（実施の形態１）
図１は、本実施の形態における衣類処理装置の構成を示す模式図、図２は、同、衣類処理装置に用いられる本実施例のヒートポンプ装置の構成を示す概略図である。
【００３５】
筐体１の内部には、サスペンション２によって弾性的に支持された円筒状の外槽３を設けている。外槽３の内部には、衣類４を収容する円筒状の収容槽５を回転可能に設け、駆動モータ６により回転駆動される。
【００３６】
筐体１の前面には衣類４を出し入れする開口部１ａと、これを開閉する扉７が設けられている。外槽３および収容槽５の前面側にも同様の外槽開口部３ａ、収容槽開口部５ｂを有し、この外槽３の外槽開口部３ａはベローズ８によって筐体１の開口部１ａと連結されている。循環送風機１２は、筐体１の上方に設けられている。
【００３７】
循環送風機１２は、収容槽５及を通過してきた空気を循環ダクト入口１６から吸込み、循環ダクト２２内を送風させ、矢印ｄのようにヒーターケース入口２３へと導出する。また、ヒーターケース出口２１から出た循環空気を矢印ｃの方向に送風して循環ダクト出口１４から収容槽５内に供給する。
【００３８】
収容槽５の背面下部には、熱源装置としてヒートポンプ装置を構成する熱交換器からなる蒸発器３０及び凝縮器３２が配設されており、筐体１内の空きスペースを有効利用して収容されている。ヒーターケース３１は、循環送風機１２により送風される循環空気を矢印ａの方向に蒸発器３０から凝縮器３２へと流すためのものであり、筐体１の左右方向に圧縮機４１を蒸発器３０及び凝縮器３２と並べてヒーターケース３１の内部に収容している。
【００３９】
循環送風機１２で送風される循環空気は、循環ダクト２２を通り、ヒーターケース３１内の蒸発器３０及び凝縮器３２を通過した後、循環ダクト出口１４から収容槽５内に入り、収容槽５内の衣類４を通過した後、循環ダクト入口１６を通って再び循環送風機１２へと戻り、循環するようになっている。
【００４０】
また、循環ダクト２２の途中には、空気中の異物を除去するフィルター手段として合繊ネット等からなるフィルター３５が着脱可能に設けられている。フィルター３５は収容槽５と蒸発器３０間に位置して設けられている。
【００４１】
また、ヒーターケース３１の下部には、蒸発器３０からの除湿水を貯めるドレン水容器３６が設けられている。
【００４２】
また、ヒートポンプ装置は、圧縮機４１、および圧縮された冷媒の熱を放熱する凝縮器３２、および高圧の冷媒の圧力を減圧するための絞り弁や毛細管等からなる膨張機構４２、および減圧されて低圧となった冷媒が周囲から熱を奪う蒸発器３０とを冷媒が循環するように連結されており、冷媒は図２の矢印ｅの方向に流れて循環し、ヒートポンプサイクルを実現する。
【００４３】
ここで図２に示すように、熱源装置として機能するヒートポンプ装置のうち、少なくとも圧縮機４１を送風によって冷却する冷却用ファン４５が設けられている。ここで、冷却用ファン４５は、ヒーターケース３１に設置されている。
【００４４】
冷却用ファン４５を駆動すると、圧縮機４１が冷却され、圧縮機４１を通過する冷媒の温度が低下する。これに伴い、凝縮器３２、膨張機構４２，蒸発器３０における各冷媒温度は、圧縮機４１の回転数を低減させなくても低下することになる。
【００４５】
従って、凝縮器３２における冷媒温度即ち凝縮温度が、圧縮機４１の信頼性を維持できる温度範囲を超え、圧縮機４１の信頼性を低下させてしまうような高温に達する前に、冷却用ファン４５を駆動することで、圧縮機４１が冷却され、圧縮機４１を通過する冷媒の温度が低下し、これに伴って、凝縮器３２、膨張機構４２，蒸発器３０における各冷媒温度は、圧縮機４１の回転数を低減させなくても低下することになり、圧縮機４１の信頼性を維持することができる。その後、凝縮器３２における凝縮温度が、圧縮機４１の信頼性を十分に維持できる温度範囲内に収まった時に、冷却用ファン４５の駆動を停止すればよい。
【００４６】
ここで、凝縮温度は、凝縮器３２の近傍に設置された温度センサ（図示せず）によって検知される。
【００４７】
また、筐体１には、衣類の量を検知する布量検知手段（図示せず）を設けており、布量検知手段は、乾燥工程時における循環空気の温度上昇推移から検知するものである。熱源装置により循環空気が加熱される際に、循環空気が急激に温度上昇する場合には衣類の量は少ないと判定され、熱源装置により循環空気が加熱される際に、循環空気がなだらかに温度上昇する場合には衣類の量は多いと判定される。
【００４８】
また、布量検知手段は、駆動モータ６の負荷トルク変動から検知するものであってもよい。収容槽５を回転駆動する際に、駆動モータ６の負荷トルクが小さい場合には衣類の量は少ないと判定され、収容槽５を回転駆動する際に、駆動モータ６の負荷トルクが大きい場合には衣類の量は多いと判定される。
【００４９】
これらのヒートポンプ装置、駆動モータ６、冷却用ファン４５、布量検知手段等は、制御装置４８によって制御される。
【００５０】
また、衣類の種類を設定する操作ボタン（図示せず）が設けられており、シルク・ランジェリー・ウール系のようなデリケートな衣類であることを、使用者が制御装置４８に対して入力することで、制御装置４８は、衣類に損傷を与えないように、衣類の種類に応じた適切な乾燥工程を行うように制御する。
【００５１】
以上のような構成において、次に、この動作について説明する。
【００５２】
乾燥工程では、ヒートポンプ装置の圧縮機４１を作動させると、冷媒が圧縮され、この圧力により凝縮器３２、膨張機構４２、蒸発器３０を循環する。凝縮器３２では冷媒の圧縮で熱が放出され、蒸発器３０では膨張機構４２で減圧されて低圧となった冷媒により熱が吸収される。
【００５３】
このとき循環送風機１２が作動し、凝縮器３２の放熱により加熱された循環空気が循環ダクト２２を通って循環ダクト出口１４から収容槽５内に送風される。収容槽５は駆動モータ６により回転駆動され衣類４は上下に撹拌される。
【００５４】
収容槽５内に送風された循環空気は、この衣類４の隙間を通るときに水分を奪い、湿った状態で循環ダクト入口１６を経て循環ダクト２２を通り、ヒーターケース３１に至る。
【００５５】
この湿った循環空気は、蒸発器３０を通過する際に顕熱と潜熱が奪われて除湿され、乾いた循環空気と除湿水に分離される。この乾いた循環空気は、凝縮器３２で再び加熱され高温の循環空気となる。蒸発器３０で結露した除湿水は、ドレン水容器３６に貯まる。上記動作を繰り返すことにより、衣類４の乾燥を進行させる。
【００５６】
図３は、乾燥工程時の衣類の量が少容量であるとき、例えば３ｋｇの衣類を乾燥させた場合の圧縮機回転数と各部の温度変化を示すグラフである。
【００５７】
図４は、乾燥工程時の衣類の量が大容量であるとき、例えば８ｋｇの衣類を乾燥させた場合の圧縮機回転数と各部の温度変化を示すグラフである。
【００５８】
図３、図４からわかるように、乾燥運転行程の初期において、圧縮機４１の回転数を８０ｒｐｓといった高回転数で運転すると、少容量の場合には大容量の場合に比べ、圧縮機４１における冷媒吐出温度の昇温速度が速い。これは、圧縮機４１における冷媒の熱量が衣類の水分を蒸発させる際に、大容量の場合には衣類に含まれる水分の総量が多いために温度上昇が穏やかになるのに対し、少容量の場合には衣類に含まれる水分の総量が少ないために温度上昇が急激になるからである。
【００５９】
このまま圧縮機４１を高回転で運転し続けると、圧縮機４１における冷媒吐出温度が異常に上昇してしまうので、圧縮機４１が故障するのを回避するために、少容量の場合には圧縮機４１の回転数を８０ｒｐｓで約５分程度運転した後は、圧縮機４１の回転数を約６０ｒｐｍに低下させ、約２０分程度運転し、その後、圧縮機４１の回転数を約５０ｒｐｍに低下させ、約１０分程度運転し、さらにその後、圧縮機４１の回転数を約４０ｒｐｍにまで低下させ定常運転を行う。
【００６０】
同様に、大容量の場合には圧縮機４１の回転数を８０ｒｐｓで約２０分程度運転した後は、圧縮機４１の回転数を約７０ｒｐｍに低下させ、約５分程度運転し、その後、圧縮機４１の回転数を約５０ｒｐｍに低下させ、約１０分程度運転し、さらにその後、圧縮機４
１の回転数を約４０ｒｐｍにまで低下させ定常運転を行う。
【００６１】
このように、圧縮機４１における冷媒吐出温度を７０〜８０度程度の所定の温度範囲内に納めるために、圧縮機４１の回転数を８０ｒｐｓといった高回転数で運転に要する時間は、大容量の場合に比べて少容量の場合には非常に少ない時間ですむことがわかる。
【００６２】
このように、少容量の乾燥工程時においては、大容量の乾燥工程時に比べて、圧縮機４１を所定の回転数、例えば８０ｒｐｓといった高回転数で運転する時間を短くするようにしたことで、少容量の乾燥工程時において、衣類乾燥に必要な循環空気の温度を適切な温度範囲に収め、また、圧縮機４１の信頼性を確保しながら消費電力量の削減を図ることができるようになる。
【００６３】
また、少容量の乾燥工程時においては、乾燥運転行程の初期において、所定の時間例えば５分間程度、圧縮機４１の回転数を８０ｒｐｓといった高回転数で運転することで、衣類乾燥に必要な循環空気の温度を、大容量の場合と同等に維持することができる。
【００６４】
このように、少容量の乾燥工程時においては、乾燥運転行程の初期において所定の時間例えば５分間程度、圧縮機４１を所定の回転数例えば８０ｒｐｓといった高回転数で運転し、その後、所定の期間経過後は、所定の時間例えば２０分間程度、圧縮機４１を所定の回転数例えば６０ｒｐｓといった低回転数で運転することで、衣類乾燥に必要な循環空気の温度を適切な温度範囲に収めることができるとともに、圧縮機４１の信頼性を確保しながら消費電力量の削減を図ることができるようになる。
【００６５】
使用者が、シルク・ランジェリー・ウール系のような高温に弱いデリケートな衣類であることを、制御装置４８に対して入力した場合の制御について説明する。
【００６６】
図には示していないが、高温に弱い衣類を乾燥させる場合、制御装置４８は、衣類の量に関係なく、圧縮機４１の回転数を乾燥工程の運転当初から４０ｒｐｓ程度の低速に維持するように制御を行う。
【００６７】
これにより、衣類乾燥に必要となる循環空気の温度を、通常の衣類の場合に比べて１５℃程度低下させ、衣類の傷みを防上することができるようになる。
【００６８】
また、高温に弱い衣類を乾燥させる場合、制御装置４８は、衣類の量に関係なく、冷却用ファン４５を駆動してもよい。これにより、圧縮機４１が冷却され、圧縮機４１を通過する冷媒の温度が低下し、凝縮器３２、膨張機構４２，蒸発器３０における各冷媒温度は、圧縮機４１の回転数を低減させなくても低下することになる。凝縮器３２における冷媒温度即ち凝縮温度が低下すれば、循環空気の温度も低下し、衣類の傷みを防上することができるようになる。
【００６９】
なお、圧縮機４１の最適な回転数は、排除容積や体積効率といった圧縮機の固有の構成や、使用する冷媒の種類などによって異なる。本実施例においては、圧縮機４１の排除容積が７．５ｃｃ、体積効率が９０％以上、冷媒にＲ１３４ａを使用した場合のものを例示した。
【００７０】
また、本実施例においては、外槽３の内部に収容槽５を設けた機器の場合について例示したが、外槽３と収容槽５が一体構造となった衣類乾燥専用の衣類乾燥装置のような機器においても当然、適用できるものである。
【産業上の利用可能性】
【００７１】
以上のように、本発明にかかる衣類処理装置は、衣類乾燥用の熱源装置にヒートポンプ装置を用いた場合において、特別な部品を追加することなく、圧縮機の信頼性確保や、衣類損傷防止、消費電力量の削減を行うことができるので、ヒートポンプ装置を用いた乾燥機能を有する家庭用機器や業務用機器等の用途にも適用できる。
【符号の説明】
【００７２】
５  収容槽
１２  循環送風機
２２  循環ダクト
３０  蒸発器、
３２  凝縮器
４１  圧縮機
４５  冷却用ファン
【図１】
2014018502.tif 000003
【図２】
2014018502.tif 000004
【図３】
2014018502.tif 000005
【図４】
2014018502.tif 000006
【図５】
2014018502.tif 000007
【図６】
2014018502.tif 000008